(57)【要約】      （修正有）【課題】同一ファンが発する強制入気流と強制排気流によってそれぞれコントロールボードと発光モジュールの熱を発散し、最低コストでダブル効果の放熱を達成する放熱型照明灯を提供する。【解決手段】放熱型照明灯は、ライト筺体１、放熱モジュール４、発光モジュール３、ファン５及びコントロールボード６を含む。ライト筺体は入気孔１１１と排気孔１１２を穿設する。放熱モジュールはライト筺体内に設置し多数のフィンを備える放熱体４１を含み、隣接する二枚のフィンの間は、相互に連通する入気側と排気孔に対応する排気側を備える。発光モジュールは放熱体に貼着する。ファンはライト筺体内に設置し入風部と入気側に向けて出風する出風部を備える。コントロールボードはライト筺体内に設置し入風部に面して露出する放熱対象面６１を備え、入気孔は放熱対象面と入風部をまたぐ。【選択図】図２
0003215854.tif 000002
【実用新案登録請求の範囲】
【請求項１】
放熱型照明灯において、
多数の入気孔と多数の排気孔を穿設するライト筺体と、
該ライト筺体内に設置し且つ多数のフィンを備える放熱体を含み、任意の相互に隣接する二枚の該フィンの間に相互に連通する少なくとも一入気側と該多数の排気孔に対応して配置する少なくとも一排気側を備える放熱モジュールと、
該放熱体に貼着する発光モジュールと、
該ライト筺体内に設置し且つ入風部と該少なくとも一入気側に向けて出風する出風部を備えるファンと、
該ライト筺体内に設置し且つ該入風部に向けて露出する放熱対象面を備え、各該入気孔はすべて該放熱対象面と該入風部をまたがるコントロールボードを含むことを特徴とする放熱型照明灯。
【請求項２】
前記各該入気孔は、相対する両端を備え、該放熱対象面と該入風部はどちらも各該入気孔の該両端の間に位置することを特徴とする請求項１記載の放熱型照明灯。
【請求項３】
前記各該入気孔の該両端のうちの一端は、該放熱対象面に平らであることを特徴とする請求項２記載の放熱型照明灯。
【請求項４】
前記放熱対象面と該入風部は、相互に間隔を開けて隣接し、気流通道を形成し、該気流通道と該多数の入気孔は相互に直線で連通することを特徴とする請求項１記載の放熱型照明灯。
【請求項５】
前記放熱体は相対する第一面と第二面を備え、該多数のフィンは該第一面に設置し、該発光モジュールは該第二面に貼着し、該第二面は平面であることを特徴とする請求項１記載の放熱型照明灯。
【請求項６】
前記放熱モジュールは、更にベイパーチャンバーを含み、該ベイパーチャンバーは相対する二導熱面を備え、該放熱体は該二導熱面のどちらか一面に貼着し、該発光モジュールは該二導熱面の残りの一面に貼着することを特徴とする請求項１記載の放熱型照明灯。
【請求項７】
前記放熱型照明灯は、更に相互に同一直線上にある二レンズを含み、該ライト筺体は更に照明孔を穿設し、該発光モジュールは該照明孔向きに出光し、該二レンズ該ライト筺体内の該発光モジュールと該照明孔の間に設置し且つどちらも該照明孔に向けて面することを特徴とする請求項１記載の放熱型照明灯。
【請求項８】
前記二レンズのどちらかひとつはフィルターレンズであり、該フィルターレンズは、該照明孔位置に着脱対応し該ライト筺体内に設置することを特徴とする請求項７記載の放熱型照明灯。
【請求項９】
前記二レンズのうちのどちらかひとつは強化ガラスレンズであることを特徴とする請求項７記載の放熱型照明灯。
【請求項１０】
前記放熱型照明灯は、更に固定構造を含み、該放熱モジュール、該発光モジュール、該ファンと該コントロールボードは,すべて該固定構造によって該ライト筺体内で固定し、該ライト筺体は開口を備える筺本体と該開口位置に対応して該筺本体に着脱式で合わさる外蓋を含み、該二レンズのうちのどちらか一つは該外蓋と該固定構造の間に挟持されて定位することを特徴とする請求項７記載の放熱型照明灯。
【請求項１１】
前記放熱型照明灯は、更に同一直線上で相互に位置する集光レンズとレンズを含み、該ライト筺体は更に照明孔を穿設し、該発光モジュールは該照明孔向きに出光し、該レンズは該ライト筺体内の該発光モジュールと該照明孔の間に設置し且つ該照明孔向きに面し、該集光レンズは該照明孔位置に着脱式対応で該ライト筺体に設置し、且つ該照明孔に遠い方向に突出することを特徴とする請求項１記載の放熱型照明灯。
【請求項１２】
前記放熱型照明灯は、更に固定構造と着脱構造を含み、該放熱モジュール、該発光モジュール、該ファンと該コントロールボードは、すべて該固定構造を経て該ライト筺体内に固定し、該着脱構造は該固定構造上に着脱式で固定し、該集光レンズは外郭凸縁を備え、該外郭凸縁は該着脱構造と該固定構造の間に挟持されて定位することを特徴とする請求項１１記載の放熱型照明灯。
【考案の詳細な説明】
【技術分野】
【０００１】
本考案は、放熱型照明灯に関するもので、特にコントロールボードと発光モジュールの熱を発散するダブル効果を有する放熱型照明灯に係る。
【背景技術】
【０００２】
発光ダイオード(Light Emitting Diode, LED)は、今日、各種照明灯において広く応用されており、例として集魚灯、舞台ライトもしくはサーチライト等は、すべて高出力発光ダイオードを使用するため、作動時は高熱を発する。そのため、良好な放熱が必要となる。
【先行技術文献】
【特許文献】
【０００３】
【特許文献１】実用新案登録第３１３３５８６号公報
【考案の概要】
【考案が解決しようとする課題】
【０００４】
解決しようとする問題点として、現在のこの種の照明灯は、発光ダイオードが高熱を発する他に、制御に用いるコントロールボードに搭載された多数の電子部品も熱を発し、そのため、現在の照明灯は仮に発光ダイオードが発する熱を放熱できても、同一の放熱ファンでコントロールボード上の熱を有効に放熱することができないため、照明灯全体の放熱効果に影響する。
【０００５】
拠って、本考案の課題は、如何にして公知の欠点を改善するかが本考案の課題となる。
【課題を解決するための手段】
【０００６】
本考案は、ライト筺体、放熱モジュール、発光モジュール、ファン及びコントロールボードを含むもので、ライト筺体は入気孔と排気孔を穿設する。放熱モジュールはライト筺体内に設置し且つ多数のフィンを備える放熱体を含み、任意の隣接する二枚のフィンの間は、相互に連通する入気側と排気孔を対応して配置する排気側を備える。発光モジュールは放熱体に貼着する。ファンはライト筺体内に設置し且つ入風部と入気側に向けて出風する出風部を備える。コントロールボードはライト筺体内に設置し且つ入風部に面して露出する放熱対象面を備え、入気孔は放熱対象面と入風部をまたぐことを最も主要な特徴とする。
【考案の効果】
【０００７】
本考案の放熱型照明灯は、同一ファンが発する強制入気流と強制排気流によって、それぞれコントロールボードと発光モジュールの熱を発散し、ダブルで放熱する効果を達成するという利点がある。
【図面の簡単な説明】
【０００８】
【図１】本考案の第一実施例の立体分解図である。
【図２】本考案の第一実施例の一角度立体組立図である。
【図３】本考案の第一実施例における別の一角度立体組立図である。
【図４】本考案の第一実施例の断面図である。
【図５】本考案の第二実施例の立体分解図である。
【図６】本考案の第二実施例の立体組立図である。
【図７】本考案の第二実施例の断面図である。
【考案を実施するための形態】
【０００９】
ファンの入口、出風がそれぞれライト筺体の入口、排気孔に対応し、同一ファンが発する強制入気流と強制排気流によって、コントロールボードと発光モジュールの熱をそれぞれ発散する。拠って最低コストでダブル効果の放熱を達成する放熱型照明灯を提供することを本考案の目的とする。
【００１０】
上述の目的を達成するため、本考案は、放熱型照明灯を提供する。それは多数の入気孔と多数の排気孔を穿設するライト筺体、該ライト筺体内に設置し且つ多数のフィンを備える放熱体を含み、任意の相互に隣接する二枚の該フィンの間に相互に連通する少なくとも一入気側と該多数の排気孔に対応して配置する少なくとも一排気側を備える放熱モジュールと、該放熱体に貼着する発光モジュールと、該ライト筺体内に設置し且つ入風部と該多数の入気側に向けて出風する出風部を備えるファンと、該ライト筺体内に設置し且つ該入風部に向けて露出する放熱対象面を備え、各該入気孔はすべて該放熱対象面と該入風部をまたがるコントロールボードを含む。
【００１１】
従来の技術と比較して、本考案は以下の効果を備える。同一ファンが発する強制入気流と強制排気流によって、コントロールボードと発光モジュールの熱をそれぞれ発散する。拠って最低コストでダブル効果の放熱を達成する。
【実施例１】
【００１２】
本考案の詳細な説明と技術内容を図式と共に以下に説明するが、図式は説明に用いるためであり、本考案を制限するものではない。
【００１３】
本考案はコントロールボードと発光モジュールの熱を発散するダブルで放熱する効果を放熱型照明灯を提供する。例として、集魚灯、舞台ライトもしくはサーチライト等とするが、本考案は制限しない。図１から図４に示すのは、本考案の第一実施例であり、図５から図７に示すのは、本考案の第二実施例である。
【００１４】
図１から図４に示すとおり、本考案の第一実施例の照明灯１００はライト筺体１、発光モジュール３、放熱モジュール４、ファン５及びコントロールボード６を含み、良好なものとして更に固定構造２とレンズユニット７を含む。
【００１５】
ライト筺体１は、多数の入気孔１１１と多数の排気孔１１２を穿設する。これら入気孔１１１は、ライト筺体１の一高度位置に包囲分布し、これら排気孔１１２は、ライト筺体１の別の一高度位置に包囲分布する。
【００１６】
放熱モジュール４は放熱体４１を含み、良好なものは更にベイパーチャンバー４２を含む。放熱体４１とベイパーチャンバー４２は、すべてライト筺体１内に設置する。放熱体４１は相対する第一面４１ａと第二面４１ｂを備え、第二面４１ｂは平面であり、第一面４１ａは相互に間隔をあけて隣接する多数のフィン４１１を設置し、任意の隣接する二枚のフィン４１１の間はすべて相互に連通する少なくとも一入気側４１１１と少なくとも一排気側４１１２を備える。具体的には任意の隣接する二枚のフィン４１１の間は一箇所の入気側４１１１と二箇所の排気側４１１２を備え、且つ排気側４１１２は排気孔１１２に対応して配置することで(図４参照)、排気時に妨害を受けることなく、排気がスムーズになり、拠って、良好な発光モジュール放熱効果を備える。
【００１７】
発光モジュール３は、光板３１及び光板３１上に配電するＬＥＤユニット３２を含む。ＬＥＤユニット３２は少なくとも一ＬＥＤ部品(図未提示)を含む。図中に指示された実施例において、発光モジュール３は放熱体４１の平面の第二面４１ｂに貼着するが、本実施例においては(例として図４参照)、ベイパーチャンバー４２は(相対する二導熱面４２１を備える)発光モジュール３と第二面４１ｂの間に設置し、放熱体４１の第二面４１ｂを二導熱面４２１のうちのどちらか一面に貼着し、更に発光モジュール３を二導熱面４２１の別の一面に貼着する。拠って、発光モジュール３が発した熱はベイパーチャンバー４２を経由して放熱体４１に伝わる。
【００１８】
ファン５は、ライト筺体１内の中段位置に設置し、該発光モジュール３と放熱モジュール４は、ライト筺体１内の上部位置に設置する。ファン５は入風部５１と出風部５２を備え、且つ出風部５２は放熱体４１の多数の入気側４１１１に向かって出風し、放熱体４１の第一面４１ａの誘導に拠って、入気側４１１１から任意の隣接する二枚のフィン４１１の間を経た風が二排気側４１１２へ向けて出風し、更にスムーズに排気孔１１２からライト筺体１の外へ排出される。
【００１９】
制御等に用いるコントロールボード６は、ライト筺体１内の底部位置に設置し、ファン５を上部位置と下部位置の間に設置する。コントロールボード６は放熱対象面６１と放熱対象面６１に相対する別一面(部品の符号表示はない)を備え、コントロールボード６の別一面に電気連接した多数の電子部品(部品の符号表示はない)を有する。そのうち、放熱対象面６１は、ファン５の入風部５１に面して露出し、それはつまり、放熱対象面６１と入風部５１の間には何も遮るものがないということである。
【００２０】
図４に示すとおり、特に該の各入気孔１１１(相対する両端を備える)はすべて放熱対象面６１と入風部５１をまたぎ、放熱対象面６１と入風部５１は各入気孔１１１の両端の間に位置する。良好なものは各入気孔１１１のうちの一端が放熱対象面６１に対して平らであり、且つ放熱対象面６１と入風部５１は相互に間隔を開けて隣接し、気流通道Ｃを形成し(図４参照)、気流通道Ｃは多数の入気孔１１１と互いに直線で連通し、入気孔１１１を経てライト筺体１に進入した風は放熱対象面６１にスムーズに流れ、コントロールボード６上の熱を取り去る。また放熱対象面６１に流れた風は妨害を受けず、且つ放熱対象面６１に直接流れる。拠って気流通道Ｃ内において強力な熱を帯びた気流を形成し、良好なコントロールボードの放熱効果を備える。
【００２１】
言い換えると、ファン５によって入風した時に発した強制的な入気流によって、コントロールボード６が発した熱を取り去る。更に同一のファン５が出風時に発した強制的な排気流によって発光モジュール３が発した熱を取り去る。それらに拠って、ダブル効果の放熱を備える。当然、本考案が良好な該発光モジュール放熱効果と良好なコントロールボード放熱効果を達成するには、更に、それぞれ各種条件を符合する必要がある。
【００２２】
レンズユニット７は、ライト筺体１内の上部位置に設置し且つ同一直線上に相互に位置する二レンズ７１、７２を含む。具体的にはライト筺体１の一端は照明孔１２１を穿設し、別一端はライト口金１１４を設置し、発光モジュール３は、照明孔１２１向きに出光し、レンズユニット７は発光モジュール３と照明孔１２１の間に設置し、且つ二レンズ７１、７２はどちらの面も照明孔１２１を向き、発光モジュール３が照射する光線を二レンズ７１、７２を先ず通過し、次に照明孔１２１から外向きに射出する。
【００２３】
本考案の照明灯１００が漁船上に設置され、水面から中に向かって光線を照射し、魚群を引き寄せる集魚灯にした時、二レンズ７１、７２のうちのどちらかひとつは、フィルターレンズもしくは強化ガラスレンズとする。フィルターレンズは、照明孔１２１の位置に着脱式対応しライト筺体１内に設置する。異なるフィルターレンズを交換設置することで、異なる波長範囲の光を濾過し、更に異なる種類の魚群収集を引き寄せる。強化ガラスレンズについて、保護作用を備える。例として発光モジュール３を保護するのに用いるか、もしくはフィルターレンズを保護するのに用いるが、本考案ではこれに制限されない。
【００２４】
その他、ライト筺体１の良好なものは筺本体１１と外蓋１２を含む。そのうち、筺本体１１の一端は開口１１３を備え、別一端は該ライト口金１１４を設置する。外蓋１２は該照明孔１２１を設置し、且つ外蓋１２の開口１１３に対応する位置は筺本体１１に着脱式で合わさる。具体的には、図１と図４に示すとおり、固定部品(図未提示)で外蓋１２の第一固定孔１２２と筺本体１内の固定柱１１５の間に固定し、固定部品で固定した時、外蓋１２が筺本体１１に組み合わさる。固定部品を外すと、外蓋１２が筺本体１１から外れる。
【００２５】
該発光モジュール３、放熱モジュール４、ファン５、コントロールボード６とレンズユニット７は、固定構造２でライト筺体１内に固定する。固定構造はそれぞれ開孔(部品の符号表示はなく、出光もしくは通気に用いる)を形成する第一固定板２１、第二固定板２２、第三固定板２３、フレーム２４、防水パッド２５及び蓋板２６を含み、且つ各開孔はすべて照明孔１２１と同一直線上に位置する。そのうち、第一固定板２１はファン５を固定するのに用い、第二、三固定板２２、２３は第一面、二面４１ａ、４１ｂでそれぞれ挟持して放熱体４１を固定するのに用い、蓋板２６は発光モジュール３を定位するのに用い、防水パッド２５はレンズ(例として図中のレンズ７１)の周辺縁で嵌合するのに用い、フレーム２４は第三固定板２３を連接して防水パッド２５と蓋板２６を定位するのに用い、更にベイパーチャンバー４２を放熱体４１の第二面４１ｂ上に定位するのに用いる。
【００２６】
フィルターレンズ(例として図中のレンズ７２)は、外蓋１２とフレーム２４の間に挟持されて定位する。それに拠って、外蓋１２を取外してその他フィルターレンズを交換する。良好な状況として外蓋１２の底面とフィルターレンズ(例として図中のレンズ７２)の最上面周辺縁の間に、更に第一防水ワッシャーＲを増設すると、防水効果を高める。
【実施例２】
【００２７】
図５から図７に示すとおり、本考案第二実施例の照明灯１００ａは、およそ該第一実施例の照明灯１００と同じである。差異は外蓋１２ａ、フレーム２４ａとレンズユニット７ａが第一実施例と異なり、更に着脱構造８を増設する。
【００２８】
第一実施例の外蓋１２に穿設した照明孔１２１の形状は二レンズ７１、７２に対応し、第二実施例の外蓋１２ａに穿設した照明孔１２１ａの形状は着脱構造８に対応する。
【００２９】
レンズユニット７ａは、同一線上に相互に位置する集光レンズ７３とレンズ７４を含む。防水パッド２５はレンズ７４の周辺縁に嵌合し更にフレーム２４ａによって定位され、且つレンズ７４は発光モジュール３と照明孔１２１ａの間に設置し且つ照明孔１２１ａ向きに面する。集光レンズ７３は、照明孔１２１ａ位置に着脱式対応しライト筺体１内に設置し、照明孔１２１ａに遠い方向からライト筺体１の外に突出し、集光レンズ７３の底部は外郭凸縁７３１を備える。
【００３０】
着脱構造８は、組立板８１を含み、良好なものは更に第二防水ワッシャー８２を含む。組立板８１は開孔(部品の符号表示はない)を穿設し、集光レンズ７３の凸出部分を通過し、且つ集光レンズ７３の外郭凸縁７３１は組立板８１とフレーム２４ａの間で挟持されて定位する。
【００３１】
組立板８１は、照明孔１２１ａ位置に対応してフレーム２４ａ上で着脱式で設置する。具体的には固定部品(図未提示)を組立板８１の第三固定孔８１１とフレーム２４ａの第二固定孔２４１の間に固定し、固定部品が固定されると、組立板８１がフレーム２４ａ上で組み立てられる。固定部品を取り外すと、組立板８１がフレーム２４ａから分離する。これらに拠って、集光レンズ７３を交換する効果を備え、更に集光によって光線を更に深い海水内に照射できる。
【００３２】
第二防水ワッシャー８２について、集光レンズ７３の外郭凸縁７３１に嵌合し、第二防水ワッシャー８２を組立板８１、外郭凸縁７３１とレンズ７４の間に位置することで防水効果を備える。
【００３３】
本考案の従前の技術と比較して以下の効果を備える。ファン５の出風部５２から放熱体４１の入気側４１１１に真正面に対し、且つ二排気側４１１２もまたライト筺体１の排気孔１１２に真正面に対し、更にコントロールボード６の放熱対象面６１はファン５の入風部５１向きに面して露出し(放熱対象面６１は入風部５１に真正面に対する)、且つ入風部５１と放熱対象面６１の間には気流通道Ｃを形成する。気流通道Cはまたライト筺体１の入気孔１１１と直線で連通する。同一ファン５が発する強制入気流と強制排気流によって、コントロールボード６と発光モジュール３の熱をそれぞれ発散する。拠って最低コストでダブル効果の放熱を達成する。
【００３４】
その他、本考案は更にその他効果を備える。放熱対象面６１に流れる風がスムーズに流れ、妨害を受けることがなく、且つ放熱対象面６１に直接流れる。拠って、気流通道Ｃ内に強力な熱を帯びた気流が形成されて良好なコントロールボードの放熱効果を備える。必要に応じて相応のフィルターレンズを交換することに拠って、特定波長範囲の光を濾過し、更に異なる種類の魚群を引き寄せて魚を捕獲する。強化ガラスレンズに交換することで保護作用を備える。集光レンズ７３を交換することに拠って、光線を更に深い海中まで照射できる。
【００３５】
以上が示すのは、本考案の良好な実施例に過ぎず、本考案の請求範囲を制限するものではなく、本考案の説明書及び図式の内容に基づく同効果の構造変化は、すべて本考案の請求範囲に属する。
【符号の説明】
【００３６】
１００        照明灯
１００ａ      照明灯
１        ライト筺体
１１        筺本体
１１１        入気孔
１１２        排気孔
１１３        開口
１１４        ライト口金
１１５        固定柱
１２        外蓋
１２ａ        外蓋
１２１        照明孔
１２２        第一固定孔
２        固定構造
２１        第一固定板
２２        第二固定板
２３        第三固定板
２４        フレーム
２４ａ      フレーム
２４１        第二固定孔
２５        防水パッド
２６        蓋板
３        発光モジュール
３１        光板
３２        ＬＥＤユニット
４        放熱モジュール
４１        放熱体
４１ａ      第一面
４１ｂ      第二面
４１１        フィン
４１１１        入気側
４１１２        排気側
４２        ベイパーチャンバー
４２１        導熱面
５        ファン
５１        入風部
５２        出風部
６        コントロールボード
６１        放熱対象面
７        レンズユニット
７ａ        レンズユニット
７１        レンズ
７２        レンズ
７４        レンズ
７３        集光レンズ
７３１        外郭凸縁
８        着脱構造
８１        組立板
８１１        第三固定孔
８２        第二防水ワッシャー
ｃ        気流通道
Ｒ        第一防水ワッシャー
【図１】
0003215854.tif 000003
【図２】
0003215854.tif 000004
【図３】
0003215854.tif 000005
【図４】
0003215854.tif 000006
【図５】
0003215854.tif 000007
【図６】
0003215854.tif 000008
【図７】
0003215854.tif 000009